(57)【要約】【課題】貯蔵室内に上下２段の容器を設けた場合でも、下容器の視認性が良い冷蔵庫を提供する。【解決手段】貯蔵室４２内に配された上容器７０、左下容器７２、右下容器７４と、各容器７０，７２，７４の後方に配されＬＥＤ８８，９４，１００を光源とする上照明部８４、左下照明部９０、右下照明部９６を有する。【選択図】      図５
2018004213.tif 000002
【特許請求の範囲】
【請求項１】
貯蔵室と、
前記貯蔵室内の上部に配された上容器と、
前記貯蔵室内の下部に配された下容器と、
前記上容器の後方の前記貯蔵室の後面に配されたＬＥＤを光源とする上照明部と、
前記下容器の後方の前記貯蔵室の後面に配されたＬＥＤを光源とする下照明部と、
を有する冷蔵庫。
【請求項２】
前記下容器が、前記上容器の左下方に配された左下容器と、前記上容器の右下方に配された右下容器とよりなり、
前記上照明部の幅方向の長さは、前記左下容器から前記右下容器まで至り、
前記下照明部の幅方向の位置は、前記上照明部の幅方向の位置とずれた位置に設けられている、
請求項１に記載の冷蔵庫。
【請求項３】
前記下容器が、前記上容器の左下方に配された左下容器と、前記上容器の右下方に配された右下容器とよりなり、
前記上照明部と前記下照明部の幅方向の位置は、同じ位置に設けられ、
前記上照明部の前記ＬＥＤと前記下照明部の前記ＬＥＤとは、幅方向において異なる位置に設けられている、
請求項１に記載の冷蔵庫。
【請求項４】
前記上照明部と前記下照明部とは、同じランプカバーで覆われている、
請求項１に記載の冷蔵庫。
【請求項５】
前記上照明部の前記ＬＥＤの位置が、前記上容器の高さ方向の中央より高く、
前記下照明部の前記ＬＥＤの位置が、前記下容器の高さ方向の中央より高い、
請求項１に記載の冷蔵庫。
【請求項６】
前記上容器と前記下容器を前記貯蔵室に収納した状態で、前記上照明部の前記ＬＥＤが、前記下容器を照明し、前記下照明部の前記ＬＥＤが、前記上容器を照明する、
請求項１に記載の冷蔵庫。
【請求項７】
前記上容器の前面、又は、前記下容器の前面の少なくとも一方に把手が設けられ、
前記把手の位置と対向する前記後面に、前記上照明部の前記ＬＥＤ、又は、前記下照明部の前記ＬＥＤが設けられている、
請求項１に記載の冷蔵庫。
【請求項８】
前記上照明部の前記ＬＥＤの光波長分布と前記下照明部の前記ＬＥＤの光波長分布が異なる、
請求項１に記載の冷蔵庫。
【請求項９】
前記上照明部の前記ＬＥＤ、及び、前記下照明部の前記ＬＥＤの光波長分布には、５５０〜６００ｎｍに谷がある、
請求項１に記載の冷蔵庫。
【請求項１０】
前記上照明部の前記ＬＥＤと前記下照明部の前記ＬＥＤとの光波長分布が異なる、
請求項１に記載の冷蔵庫。
【請求項１１】
前記上照明部の前記ＬＥＤの輝度と前記下照明部の前記ＬＥＤの輝度が異なる、
請求項１に記載の冷蔵庫。
【請求項１２】
前記貯蔵室内に設けられたカメラと、
前記カメラで撮影した画像に基づいて、前記上容器、又は、前記下容器内の食品を判別し、前記判別した食品に基づいて前記上照明部の前記ＬＥＤの光波長分布、又は、前記下照明部の前記ＬＥＤの光波長分布を変化させる制御部と、
をさらに有する請求項１に記載の冷蔵庫。
【発明の詳細な説明】
【技術分野】
【０００１】
本発明の実施形態は、冷蔵庫に関するものである。
【背景技術】
【０００２】
従来、冷蔵庫の冷蔵室内には、チルド室（低温冷蔵室）と呼ばれる庫内温度が０°〜２°程度の貯蔵室を設けている。このチルド室内に上下２段の上容器と下容器を配し、それぞれに食品を収納できるものがある。
【先行技術文献】
【特許文献】
【０００３】
【特許文献１】特開２０１６−６１４５３号公報
【発明の概要】
【発明が解決しようとする課題】
【０００４】
しかし、上記のようにチルド室内に上下２段の容器を設けた場合には、下容器に収納されている食品が、上容器の陰となりユーザから見て視認性が悪いという問題点があった。
【０００５】
そこで本発明の実施形態は、上記問題点に鑑み、貯蔵室内に上下２段の容器を設けた場合でも、下容器の視認性が良い冷蔵庫を提供することを目的とする。
【課題を解決するための手段】
【０００６】
本発明の実施形態は、貯蔵室と、前記貯蔵室内の上部に配された上容器と、前記貯蔵室内の下部に配された下容器と、前記上容器の後方の前記貯蔵室の後面に配されたＬＥＤを光源とする上照明部と、前記下容器の後方の前記貯蔵室の後面に配されたＬＥＤを光源とする下照明部と、を有する冷蔵庫である。
【図面の簡単な説明】
【０００７】
【図１】本発明の実施形態１の冷蔵庫の正面図。
【図２】実施形態の側面から見た縦断面図。
【図３】左扉と右扉を開いた状態の斜視図。
【図４】チルド室の側方から見た縦断面図。
【図５】チルド室の各容器を取り除いた状態の平面図。
【図６】冷蔵庫のブロック図。
【図７】実施形態２の各容器を取り除いた状態のチルド室の正面図。
【図８】実施形態３のチルド室の側方から見た縦断面図。
【図９】実施形態３の各容器を取り除いた状態のチルド室の正面図。
【図１０】実施形態４のチルド室の側方から見た縦断面図。
【発明を実施するための形態】
【０００８】
以下、本発明の一実施形態の冷蔵庫１０について図面を参照して説明する。
【実施形態１】
【０００９】
実施形態１の冷蔵庫１０について図１〜図６を参照して説明する。
【００１０】
（１）冷蔵庫１０の構造
冷蔵庫１０の構造について図１〜図３に基づいて説明する。冷蔵庫１０のキャビネット１２は断熱箱体であって、内箱と外箱とより形成され、その間に断熱材が充填されている。図１と図２に示すように、このキャビネット１２内は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２１の間には水平な断熱仕切体３６が設けられている。冷蔵室１４と野菜室１６とは水平な仕切体３８によって仕切られている。
【００１１】
図２と図３に示すように、冷蔵室１４内には、複数のガラス製の棚４０が水平に設けられ、下部にはチルド室４２が設けられている。チルド室４２の左側には、製氷用の水を供給するタンク６８が設けられている。このチルド室４２については、後から詳しく説明する。
【００１２】
図２と図３に示すように、冷蔵室１４の前面開口部には、観音開き式の左右扉１４１，１４２が設けられている。左扉１４１の左端部にはヒンジ軸が設けられ、キャビネット１２の天井面の前左端部に設けられたヒンジ部材１４３によって回転自在に軸支されている。右扉１４２の右端部にはヒンジ軸が設けられ、キャビネット１２の天井面の前右端部に設けられたヒンジ部材１４４によって回転自在に軸支されている。左扉１４１のヒンジ部材１４３とは反対側の反軸支側、すなわち、左扉１４１の右側部後面には、縦仕切り体１５０が回動自在に設けられている。
【００１３】
左扉１４１の後面外周部には、ガスケット１４５が額縁状に設けられている。右扉１４２の後面外周部にも、ガスケット１４６が額縁状に設けられている。
【００１４】
左右扉１４１、１４２の後面には、複数段のドアポケット４４が設けられている。左扉１４１の前面には、操作スイッチを有した操作部５６が設けられている。この操作部５６には、操作スイッチ５８が設けられている。
【００１５】
左扉１４１の下部にはドアスイッチ６２が設けられ、このドアスイッチ６２が押されると、キャビネット１２の天井部前端部の中央部にあるソレノイド式のドア押圧部６４が左扉１４１を後方から押して左扉１４１が開扉状態となる。右扉１４２の下部にもドアスイッチ６２が設けられ、このドアスイッチ６２が押されると、ドア押圧部６４が右扉１４２の後面を押圧して右扉１４２が開扉状態となる。
【００１６】
野菜室１６には引出し式の野菜扉１６ａが設けられ、小型冷凍室１８、冷凍室２０及び製氷室２１には、それぞれ引出し式の扉１８ａ、２０ａ、２１ａが設けられている。野菜室１６には、引出し式の野菜容器４６が設けられている。製氷室２１内には、製氷皿で製氷を行う製氷装置６６が設けられ、冷蔵室１４内部に配されたタンク６８から製氷用の水が供給される。
【００１７】
冷蔵室１４の後面下部から野菜室１６の後面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー４８で囲まれた冷却室であるＲエバ室２７に配されている。
【００１８】
Ｒエバ室２７から上方に冷気通路５０が冷蔵室１４の背面に沿って延び、この冷気通路５０には複数の吹き出し口５２が設けられ、この吹き出し口５２から冷蔵室１４に冷気が吹き出される。また、チルド室４２の背面にも吹き出し口５４が設けられ、冷気がチルド室４２内部に吹き出される。さらに、冷蔵室１４の背面には、冷蔵室１４の庫内温度を検出するＲセンサ２９が設けられている。
【００１９】
小型冷凍室１８、製氷室２１の後面から冷凍室２０の後面にかけてのＦエバ室３１には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。冷凍室２０の背面には、冷凍室２０の庫内温度を検出するＦセンサ３５が設けられている。
【００２０】
キャビネット１２の後面底部には、機械室２２が設けられ、冷凍サイクルを構成する圧縮機２４などが載置されている。この機械室２２の後面上部には、制御板２６が設けられている。
【００２１】
（２）チルド室４２
次に、チルド室４２の構造について図３〜図５を参照して説明する。チルド室４２の内部には、チルド室４２の上部に配された上容器７０と、チルド室４２の左下部に配された左下容器７２と、右下部に配された右下容器７４が引き出し自在に設けられている。上容器７０の幅方向の寸法は、チルド室４２の内寸より若干小さく形成され、不図示のレールによって引き出し自在となっている。また、図５に示すように、左下容器７２の幅方向の寸法と右下容器７４の幅方向の寸法を合計したものが、上容器７０の幅方向の寸法と一致する。
【００２２】
上容器７０、左下容器７２、右下容器７４は、上面が開口し、左右両側壁、後面、底面及び前面より形成され、前面上部には把手７６，７８，８０が設けられている。各容器７０，７２，７４０は、合成樹脂製であり全体が透明であって、内部に収納された食品を外部から視認できる。
【００２３】
チルド室４２の後面８２の上部には、図５に示すように、冷気の吹き出し口５４が複数個並んで設けられている。この後面８２の吹き出し口５４の下方であって、かつ、上容器７０の後方には上照明装置８４が設けられている。この上照明装置８４の上基板８６の前面には、複数のＬＥＤ８８が設けられている。上基板８６の幅方向の寸法は、図５に示すように上容器７０の幅方向の寸法よりも小さく形成され、この上基板８６の前面にＬＥＤ８８が設けられている。なお、図面においては簡単に説明するために３個のＬＥＤ８８のみを記載している。ＬＥＤ８８の高さ方向の位置は、上容器７０の高さ方向における中央部よりも上方に設けられている。
【００２４】
上照明装置８４の下方であって、左下容器７２の後方にある後面８２には、左下照明部９０が設けられている。この左下照明部９０の左下基板９２の前面には、複数個のＬＥＤ９４が設けられている。ＬＥＤ９４の高さ方向の位置は、左下容器７２の高さ方向における中央部よりも上方に設けられている。
【００２５】
上照明装置８４の下方であって、右下容器７４の後方にある後面８２には、右下照明部９６が設けられている。この右下照明部９６の右下基板９８の前面には、複数個のＬＥＤ１００が設けられている。ＬＥＤ１００の高さ方向の位置は、右下容器７４の高さ方向における中央部よりも上方に設けられている。
【００２６】
上容器７０の把手７６の後方にＬＥＤ８８を設け、左下容器７２の把手７８と右下容器７４の把手８０の後方にＬＥＤ９４とＬＥＤ１００を設けられている。
【００２７】
チルド室４２内に上容器７０、左下容器７２、右下容器７４を収納した状態で、ＬＥＤ８８の視野角、すなわち、照明範囲は、左下容器７２及び右下容器７４を照明できる範囲に設定されている。また、ＬＥＤ８８、ＬＥＤ９４，１００の視野角、すなわち、照明範囲は、上容器７０を照明できる範囲に設定されている。
【００２８】
ＬＥＤ８８．９４，１００は、３原色のＬＥＤであって、光の３原色である赤、青、緑の３色のＬＥＤからなる。そのため、ＬＥＤ８８，９４，１００は、輝度に加えて、照明光の光波長分布、すなわち、照明色（色温度）が変化する。
【００２９】
また、図５に示すように、上照明部８４は、左下容器７２と右下容器７４を跨ぐように配され、すなわち、上照明部８４の幅方向の長さが、左下容器７２から右下容器７４まで至り、かつ、左下照明部９０と右下照明部９６の幅方向の位置が、上照明部８４の幅方向の位置とはずれた位置に設けられている。
【００３０】
また、上基板８６、左下基板９２及び右下基板９８を全て覆うように透明なランプカバー１０２が設けられている。
【００３１】
（３）冷蔵庫１０の電気的構成
次に、冷蔵庫１０の電気的構成について図６のブロック図を参照して説明する。
【００３２】
制御基板２６に設けられているマイクロコンピュータよりなる制御部６０には、Ｒセンサ２９、Ｒファン３０、Ｆセンサ３５、Ｆファン３４、圧縮機２４、製氷装置６６、ドアスイッチ６２、ドア押圧部６４、開閉検出部６７及び操作部５６が接続されている。さらにこの制御部６０には、上照明部８４、左下照明部９０、右下照明部９６が設けられている。開閉検出部６７は、左右扉１４１，１４２の少なくとも一方の開状態を検出するスイッチであり、キャビネット１２の前面に設けられている。
【００３３】
制御部６０は、上照明部８４、左下照明部９０、右下照明部９６を用いてＬＥＤ８８，９４，１００の輝度、照明色（色温度）を変化させる。
【００３４】
（４）チルド室４２内の照明方法
次に、チルド室４２内部の照明方法について説明する。
【００３５】
最初に、ユーザが左右扉１４１，１４２を開くと、制御部６０は、開閉検出部６７によって開状態を検出し、上照明部８４の複数のＬＥＤ８８、左下照明部９０のＬＥＤ９４、右下照明部９６のＬＥＤ１００を点灯する。
【００３６】
ユーザが、上容器７０、左下容器７２、右下容器７４を引き出して、食品をそれぞれ入れて、チルド室４２内に上容器７０、左下容器７２、右下容器７４を再び収納する。ここで、上容器７０、左下容器７２、右下容器７４のどの容器にどのような種類の食品を収納するかは、予め設定されている。この理由は、ＬＥＤ８８、ＬＥＤ９４、ＬＥＤ１００の照明色や輝度が、設定された食品の種類に対応して適切な設定になっているからである。例えば、上容器７０は精肉類、左下容器７２は魚類、右下容器７４は野菜類に設定されているとする。
【００３７】
この状態において、上照明部８４の複数のＬＥＤ８８、左下照明部９０のＬＥＤ９４、右下照明部９６のＬＥＤ１００が、上容器７０内の精肉類の食品、左下容器７２内の魚類の食品、右下容器７４内の野菜類の食品をそれぞれ照明する。
【００３８】
これによりユーザは、各容器７０，７２，７４に収納されている食品を視認する。各容器７０，７２，７４に対応してＬＥＤ８８、ＬＥＤ９４、ＬＥＤ１００の照明色と輝度を変化させているため、各食品を見栄え良く照らすことができる。「見栄え良く照らす」とは、食品が新鮮で美味であることを想起させるような見栄えを意味する。例えば、上容器７０内の精肉類に関して、ＬＥＤ８８の光波長分布は、５５０ｎｍ〜６００ｎｍに谷の底を形成して黄色の光を少なくし、赤色を多めにすることにより、鮮度良く見せる。また、左下容器７２内の魚類に関して、ＬＥＤ９４は、黄色の光を少なくし、かつ、青色を多めにすることにより鮮度良く見せる。また、右下容器７４内の野菜類に関して、ＬＥＤ１００は、黄色の光を少なくし、かつ、緑色を多めにすることにより鮮度良く見せる。
【００３９】
最後に、ユーザが左右扉１４１，１４２を閉じると、制御部６０は、開閉検出部６７によって閉状態を検出し、上照明部８４の複数のＬＥＤ８８、左下照明部９０のＬＥＤ９４、右下照明部９６のＬＥＤ１００を消灯する。
【００４０】
（５）効果
本実施形態によれば、上容器７０の後方に上照明部８４を設け、左下容器７２の後方に左下照明部９０を設け、右下照明部９６の後方に右下容器７４を設けて、各容器７０，７２，７４に収納された食品を後方から照らすことにより、従来のように影になる部分がなく食品の視認性がよい。
【００４１】
また、ＬＥＤ８８が上容器７０の高さ方向の中央部よりも高い位置に配され、ＬＥＤ９４が、左下容器７２の高さ方向の中央部よりも高い位置に配され、ＬＥＤ１００が、右下容器７４の高さ方向の中央部よりも高い位置に配されている。そのため、各容器７０，７２，７４に収納された食品を後上方から照明するので、食品を明るく照明され、かつ、視認性が良くなる。
【００４２】
また、上照明部８４は、左下容器７２と右下容器７４を跨ぐように配され、左下照明部９０と右下照明部９６の幅方向の位置が、上照明部８４の幅方向の位置とはずれた位置に設けられているため、チルド室４２内の全体を万遍なく照明できる。
【００４３】
また、ランプカバー１０２が、上照明部８４、左下照明部９０、右下照明部９６の全体を覆うように設けられているため、ユーザがＬＥＤ８８，９４，１００の光を直視することなく、チルド室４２内の全体を照明できる。
【００４４】
また、チルド室４２に上容器７０、左下容器７２、右下容器７４を収納した状態で、ＬＥＤ８８の照明範囲が、左下容器７２及び右下容器７４を照明できる範囲であり、また、ＬＥＤ９４，１００の照明範囲が、上容器７０を照明できる範囲である。そのため、互いに各容器７０，７２，７４を照明する状態となり、より内部を明るく照明できる。
【００４５】
また、上容器７０の把手７６の後方にＬＥＤ８８が位置し、左下容器７２の把手７８の後方にＬＥＤ９４が位置し、右下容器７４の把手８０の後方にＬＥＤ１００が位置する。そのため、各把手７６，７８，８０が他の部分より明るく照明されて、その位置が判りやすい。また、各把手７６，７８，８０の存在により、ＬＥＤ８８，９４，１００の光った状態をユーザが直視するのを防止できる。
【００４６】
また、上照明部８４のＬＥＤ８８、左下照明部９０のＬＥＤ９４、右下照明部９６のＬＥＤ１００の照明色（色温度）と輝度を、それぞれ食品に対応して変化させることにより、各容器７０，７２，７４に収納された食品を見栄えよく照明できる。
【００４７】
制御部６２は、左右扉１４１，１４２が開扉状態のときのみ、上照明部８４、左下照明部９０、右下照明部９６を点灯させ、閉扉状態では消灯状態にするため、省エネルギーに寄与できる。
【００４８】
（６）変更例
上記実施形態では、上照明部８４のＬＥＤ８８、左下照明部９０のＬＥＤ９４、右下照明部９６のＬＥＤ１００の輝度と照明色は予め設定されたものであったが、これに限らず操作部５６の操作スイッチ５８を操作することにより、輝度や照明色を変化させてもよい。
【００４９】
また、低温の容器のＬＥＤの照明光は、高温の容器のＬＥＤの照明光より赤色の光波長帯の光を多くして色温度を上げるように照明してもよい。
【実施形態２】
【００５０】
次に、実施形態２の冷蔵庫１０について図７を参照して説明する。
【００５１】
上記実施形態では、上基板８６の幅方向の位置と、左下基板９２幅方向の位置と、右下基板９８の幅方向の位置が異なるものであった。しかし、本実施形態ではこれに代えて図７に示すように、上基板８６に対応した左下基板９２と右下基板９８の幅方向の位置を同じ位置に設ける。但し、複数のＬＥＤ８８の配置と、複数のＬＥＤ９４の配置と複数のＬＥＤ１００の配置をそれぞれ上下の位置において異なった位置に設ける。
【００５２】
これにより、ＬＥＤ８８とＬＥＤ９４とＬＥＤ１００の上下における配置位置が異なるため、チルド室４２内を万遍なく照明できる。
【００５３】
また、上基板８６と左下基板９２と右下基板９８がそれぞれ対応した位置に設けられているため、各基板８６，９２，９８の設置を行い易い。
【実施形態３】
【００５４】
次に、実施形態３の冷蔵庫１０について図８と図９を参照して説明する。
【００５５】
上記各実施形態では、上基板８６、左下基板９２及び右下基板９８がそれぞれ独立して設けられていたが、これに代えて本実施形態では、１枚の基板１０４に、ＬＥＤ８８、ＬＥＤ９４、ＬＥＤ１００を設ける。この場合に基板１０４のサイズは、チルド室４２の後面８２よりもやや小さい程度である。
【００５６】
これにより、１枚の基板１０４で各照明基板を実現できるため、原価や製造時の工数を低減できる。
【実施形態４】
【００５７】
次に、実施形態４の冷蔵庫１０について図１０を参照して説明する。
【００５８】
本実施形態では、実施形態１のチルド室４２の構成に加えて、後面８２にカメラ１０６を設ける。このカメラ１０６は、上照明部８４と右下照明部９６と左下照明部９０が交差する位置に設けられ、制御部６０に接続されている。制御部６０は、食品の種類や色に対応した、最も見栄えがよくなるようなＬＥＤの照明色及び輝度をデータとして記憶している。例えば、食品が精肉類の場合には、黄色の光を少なくし、赤色を多めにした照明色のデータが記憶されている。
【００５９】
カメラ１０６は、左扉１４１と右扉１４２が閉じているときに上容器７０、左下容器７２、右下容器７４の内部を撮影する。なお、この撮影のときのみ制御部６０は、ＬＥＤ８８，９４，１００を点灯させる。制御部６０は、カメラ１０６で撮影した画像によって各容器７０，７２，７４に収納された食品の種類や色をパターン認識法で判別し、判別した食品に対応した前記データを呼び出し、このデータに基づいて最も見栄えがよくなるような照明色及び輝度でＬＥＤ８８、ＬＥＤ９４、ＬＥＤ１００を照明する。
【００６０】
本実施形態であれば、各容器７０，７２，７４の食品を撮影し、その食品の種類や色を判別することで、その食品が最も見栄えよく見えるような輝度や照明色で各容器７０，７２，７４を照明できる。
【００６１】
また、左扉１４１、右扉１４２を閉じた状態で、ＬＥＤ８８，９４，１００を点灯させてカメラ１０６が画像を撮影するため、外部から光が入ることがなく、撮影時の条件にばらつきが生じない。
【変更例】
【００６２】
上記実施形態では、チルド室４２内に上容器７０、左下容器７２、右下容器７４を設けたが、これに代えて上下２段の上容器と下容器から構成されてもよい。
【００６３】
また、上記実施形態では、チルド室４２内に各容器７０，７２，７４を設ける構造で説明したが、チルド室４２以外の貯蔵室であっても本実施形態は適用できる。
【００６４】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６５】
１０・・・冷蔵庫、１４・・・冷蔵室、１４１・・・左扉、１４２・・・右扉、４２・・・チルド室、６０・・・制御部、７０・・・上容器、７２・・・左下容器、７４・・・右左下容器、７６・・・把手、７８・・・把手、８０・・・把手、８２・・・後面、８４・・・上照明部、８６・・・上基板、８８・・・ＬＥＤ、９０・・・左下照明部、９２・・・左下基板、９４・・・ＬＥＤ、９６・・・左下照明部、９８・・・右下基板、１００・・・ＬＥＤ、１０２・・・ランプカバー
【図１】
2018004213.tif 000003
【図２】
2018004213.tif 000004
【図３】
2018004213.tif 000005
【図４】
2018004213.tif 000006
【図５】
2018004213.tif 000007
【図６】
2018004213.tif 000008
【図７】
2018004213.tif 000009
【図８】
2018004213.tif 000010
【図９】
2018004213.tif 000011
【図１０】
2018004213.tif 000012